(57)【要約】      （修正有）【課題】本発明は反射型液晶パネル或いは反射半透過型液晶パネルを有した液晶表示装置に関し、画像品質の高い液晶表示装置を実現することを課題とする。【解決手段】表面側から入射する外光を反射電極層２５で反射することにより表示を行なう反射型液晶パネル３５Ａを有する液晶表示装置において、反射型液晶パネル３５Ａの裏面側に、コントラスト補正及び／または色度補正を行なう全面黒色シート３１を配設する。【選択図】    図１０
2004302294.tif 000002
【特許請求の範囲】
【請求項１】
表面側から入射する外光を反射利用することにより表示を行なう反射型液晶パネルを有する液晶表示装置において、
前記反射型液晶パネルの裏面側に、コントラスト補正及び／または色度補正を行なう光学シートを配設したことを特徴とする液晶表示装置。
【請求項２】
請求項１記載の液晶表示装置において、
前記反射型液晶パネルにノーマリブラック液晶を用い、
かつ、前記光学シートとして、黒反射率を低減する特性を有するものを用いたことを特徴とする液晶表示装置。
【請求項３】
１画素に対応する領域内に、表面側から入射する外光を反射利用することにより表示を行なう第１の領域と、背面側から透過する光を利用することにより表示を行なう第２の領域とを有する反射半透過型液晶パネルを有する液晶表示装置において、
前記反射型液晶パネルの裏面側に、前記第１の領域に対しコントラスト補正及び／または色度補正を行なう光学シートを配設したことを特徴とする液晶表示装置。
【請求項４】
請求項３記載の液晶表示装置において、
前記反射型液晶パネルにノーマリブラック液晶を用い、
かつ、前記光学シートとして、黒反射率を低減する特性を有するものを用いたことを特徴とする液晶表示装置。
【発明の詳細な説明】
【０００１】
【発明の属する技術分野】
本発明は液晶表示装置に係り、特に反射型液晶パネル、反射半透過型液晶パネルを有した液晶表示装置に関する。
【０００２】
例えば、ＴＦＴ（Ｔｈｉｎ  Ｆｉｌｍ  Ｔｒａｎｓｉｓｔｏｒ）液晶パネルに代表されるアクティブマトリクス方式液晶表示装置は、一般家庭用テレビ，オーディオ機器の表示装置として普及が期待されている。これは、アクティブマトリクス方式液晶表示装置がＣＲＴに比べ、薄型，軽量を容易に実現でき、ＣＲＴに劣らない表示品質を得ることができるためである。この薄型，軽量という点を生かしてノート型パソコン等の携帯型情報機器だけでなく、さまざまなマルチメディア情報機器への対応が求められている。
【０００３】
この液晶表示装置に配設される液晶パネルとしては、透過型液晶パネル、反射型液晶パネル、及び反射半透過型液晶パネルが知られている。
【０００４】
透過型液晶パネルは、背面にバックライトユニットを設け、このバックライトユニットからの面状のバックライト光が投光されることにより液晶表示が可能となるよう構成したものである。また、反射型液晶パネルは、基板上に反射電極層を設け、外光を利用して液晶表示を可能とするものである。透過型液晶パネルと異なる点は、バックライトユニットを用いずに表示可能となるので、消費電力的に非常に有利となるものである。
【０００５】
また反射半透過型液晶パネルは、基板上画素内の一部に反射電極層を設けて、外光のある場所でも、無い場所でも良好な液晶表示を可能とするものである。透過型液晶パネルと反射型液晶パネルの双方の良い点を利用した構成のものである。
【０００６】
上記のように各種の液晶パネルが提供されているが、いずれにおいても低消費電力の実現、及び表示品質の向上が要求されている。
【０００７】
【従来の技術】
図１乃至図３は、従来の一例である液晶表示装置１及びこれに用いる液晶パネル２Ａを説明するための図である。同図では、透過型の液晶パネル２Ａを用いた例を示している。このため、液晶表示装置１は、バックライト３を有している。
【０００８】
バックライト３は、透過型液晶パネル２Ａの背面に設けられている。そして、透過型液晶パネル２Ａの背面から光を照射することにより、透過型液晶パネル２Ａの表示に所定の輝度を持たせる構成とされている。
【０００９】
バックライト３はエッジライト方式のものであり、導光板４と光源５とにより構成されている。光源５は例えば蛍光管であり、内部に水銀がＡｒガスやＮｅガスの中に封入され、管壁には蛍光物質が塗布されている。そして、電流の供給により水銀ガス中で放電し、この放電中に紫外線を発生し、紫外線が蛍光物質に当たって可視光が発生する。このようにして発生した光は、側面より導光板４に入射される。
【００１０】
導光板４はアクリル製の樹脂板であり、前記のように側面から光源５の光が入射され、これを発光面４ａから透過型液晶パネル２Ａに向け照射する。この導光板４の発光面４ａは拡散処理が行なわれており、よって発光面４ａから出射する光は拡散され、よって透過型液晶パネル２Ａの略全面に均一に光を照射しうる構成となっている。
【００１１】
ＴＡＢ基板６は、透過型液晶パネル２Ａを駆動するための駆動ＩＣ７が設けられている。このＴＡＢ基板６は、一端部が透過型液晶パネル２Ａに接続されると共に、折り曲げられることによりバックライト３の背面側に位置するよう構成されている。尚、ベゼル８は透過型液晶パネル２Ａを保護するために設けられている。
【００１２】
次に、透過型液晶パネル２Ａの構成について説明する。図２及び図３は、透過型液晶パネル２Ａを拡大して示している。図２は透過型液晶パネル２Ａの部分断面した斜視図であり、図３は透過型液晶パネル２Ａの断面図である。
【００１３】
透過型液晶パネル２Ａは、画素トランジスタ１２（ＴＦＴ）を備えたＴＦＴ基板１１と、これと対向配設され共通電極１６（コモン電極）が形成された共通基板１５と、このＴＦＴ基板１１と共通基板１５との間に配設された液晶層１７とを有した構成とされている。尚、共通基板１５の外周位置にはシールド部２３が設けられており、液晶層１７の厚みを一定に保つと共に漏洩を防止している。
【００１４】
ＴＦＴ基板１１には、データバスラインとなる信号線１３と、スキャンバスラインとなる走査線１４とがマトリクス状に交差しており、その交点すべてにＴＦＴ１２がスイッチング素子として接続されている。走査線１４で選択された行のＴＦＴ１２がＯＮすることにより、信号線１３に印加された映像信号電圧が各画素電極に書きこまれて、次にその行が選択されるまで電荷を保持することで情報が保たれる。
【００１５】
保持された情報に対応して液晶層１７内の液晶の傾きが決まるので、光の透過量を制御することができ、階調表示などが可能となる。更に、カラー表示を行なうには、ＲＧＢのカラーフィルター（図示せず）を用いることで光の混合を行い、実現している。
【００１６】
透過型液晶パネル２Ａを駆動する回路としては、信号線駆動回路１９及び走査線駆動回路２０を有している。信号線駆動回路１９は信号線１３を駆動制御し、走査線駆動回路２０は走査線１４を駆動制御する。また、共通電極１６は、図示しないコモン電圧回路により駆動制御される。尚、引き出し線１８は信号線駆動回路１９及び走査線駆動回路２０を駆動ＩＣ７に接続するためのものであり、保護のためその上部には保護膜２２が形成されている。
【００１７】
上記した従来の透過型液晶パネル２Ａは、パネル片面に透過光となるバックライト３が必要となり、このバックライト３の輝度、品質が透過型液晶パネル２Ａの表示品質に大きく影響してしまう。また、晴天時の室外で液晶表示装置１を用いる場合には、バックライト３の輝度に対して外部の明るさの方が強いため、透過型液晶パネル２Ａの表示品質が劣化してしまう。更に、透過型液晶パネル２Ａを用いて表示を行なう場合には、表示中は常時バックライト３を点灯させる必要があり、液晶表示装置１の消費電力が増大してしまう。
【００１８】
そこで、これら透過型液晶パネル２Ａの有する問題点を解決するものとして、反射型液晶パネルを用いた液晶表示装置が提案されている（例えば、特許文献１，２等）。図４乃至図６は、この種の液晶表示装置に搭載された従来の一例である反射型液晶パネル２Ｂを示している。尚、図４乃至図６において、図１乃至図３に示した構成と対応する構成には同一符号を付している。
【００１９】
この反射型液晶パネル２Ｂは、外光（図５に矢印Ａで示す）を利用して液晶表示を可能とするものであるため、透過型液晶パネル２Ａと異なりバックライト３は不要である。このため、図５及び図６に示すように、ＴＦＴ基板１１には外光を反射するための反射電極層２５が１画素に対応する領域（マトリクス状に形成された信号線１３と走査線１４の囲まれた領域）に形成されている。
【００２０】
上記のように、反射型液晶パネル２Ｂは、外光を反射電極層２５に反射させて反射光とし、液晶層１７の内部を通過することで表示が実現する構成とされている。このため反射型液晶パネル２Ｂでは、反射電極層２５の特性に表示品質は大きく影響されることになる。
【００２１】
【特許文献１】
特開２００１−２６４８１９号公報
【００２２】
【特許文献２】
特開２０００−３２１５６４号公報
【００２３】
【発明が解決しようとする課題】
しかしながら、反射電極層２５は完全な遮光状態ではなく、またＴＦＴ基板１１のＴＦＴ１２と同層において形成されるため、ＴＦＴ１２の作成部などに反射電極層２５が形成されない部分が発生し、僅かな光の透過作用が起こることが測定、観測によりに判明した。すなわち、例えば図５及び図６に示すように反射電極層２５の外周部分に反射電極層２５が形成されない部分が発生し、透明なＴＦＴ基板１１が露出した隙間部２６が形成されることが判明した。
【００２４】
このように、反射電極層２５が完全なる遮光状態ではない場合、図５に矢印Ｂで示すように外光が隙間部２６を通過してしまい、表示画像の輝度が低下して画像品質が低下してしまう。また逆に、外光が隙間部２６を通り液晶層１７に背面側から進入した場合には、表示画像に輝度むらが発生して、やはり画像品質が低下してしまうという問題点があった。
【００２５】
一方、近年では上記した透過型液晶パネル２Ａと反射型液晶パネル２Ｂの中間的な存在として、図７乃至図９に示すような反射半透過型液晶パネル２Ｃが提供されている。この反射半透過型液晶パネル２Ｃは、図８及び図９に示すように、１画素内に外光を反射する反射電極層２５と、光を透過しうる透過部２８とを形成した構成とされている。
【００２６】
この反射半透過型液晶パネル２Ｃは背面にバックライトユニット２７を具備しており、暗いところではバックライトユニット２７からの光が透過部２８を透過することにより表示を行い、外光が強い場合には反射電極層２５で外光を反射することにより表示を行なう構成とされていた。
【００２７】
この反射半透過型液晶パネル２Ｃにおいても反射電極層２５は、前記した反射型液晶パネル２Ｂと同様に完全な遮光状態ではなく、反射電極層２５の形成位置の外周には隙間部２６が形成されてしまう。従って、反射半透過型液晶パネル２Ｃの場合も、図８に矢印Ｂで示すように外光が隙間部２６を通過してしまい、表示画像の輝度が低下して画像品質が低下してしまう。また逆に、バックライトユニット２７からの光（図８に矢印Ｄで示す）が隙間部２６を通り液晶層１７に進入した場合には、表示画像に輝度むらが発生して、やはり画像品質が低下してしまうという問題点があった。
【００２８】
本発明は上記の点に鑑みてなされたものであり、画像品質の高い液晶表示装置を提供することを目的とする。
【００２９】
【課題を解決するための手段】
上記の課題を解決するために本発明では、次に述べる各手段を講じたことを特徴とするものである。
【００３０】
請求項１記載の発明は、
表面側から入射する外光を反射利用することにより表示を行なう反射型液晶パネルを有する液晶表示装置において、
前記反射型液晶パネルの裏面側に、コントラスト補正及び／または色度補正を行なう光学シートを配設したことを特徴とするものである。
【００３１】
上記発明によれば、反射型液晶パネルの裏面側に光学シートを配設することにより、反射型液晶パネルの表示にコントラスト補正及び／または色度補正がされるため、簡単な構成で高品質の表示を行なうことが可能となる。
【００３２】
また、請求項２記載の発明は、
請求項１記載の液晶表示装置において、
前記反射型液晶パネルにノーマリブラック液晶を用い、
かつ、前記光学シートとして、黒反射率を低減する特性を有するものを用いたことを特徴とするものである。
【００３３】
上記発明によれば、反射型液晶パネルの表示において黒反射率の低減を図れるため、コントラスト比の向上を図ることができる。
【００３４】
また、請求項１記載の液晶表示装置において、前記光学シートとして白反射率の高い特性を有するものを用いることもできる。この構成とした場合には、反射型液晶パネルの表示において、白反射率の向上による明るさの強化を図ることができる。
【００３５】
また、請求項１記載の液晶表示装置において、前記光学シートとして、前記反射型液晶パネルの表示において不足する色を補正する着色シートを用いることができる。この構成とした場合には、反射型液晶パネルの表示において、色純度及び色再現性を良好とすることができる。
【００３６】
また、請求項１記載の液晶表示装置において、前記光学シートとして、前記反射型液晶パネルの表示において発生する表示むらを補正する表示むら補正シートを用いることができる。この構成とした場合には、反射型液晶パネルの表示領域内において色度の均一化を図ることができ、表示品質を良好とすることができる。
【００３７】
また、請求項３記載の発明は、
１画素に対応する領域内に、表面側から入射する外光を反射利用することにより表示を行なう第１の領域と、背面側から透過する光を利用することにより表示を行なう第２の領域とを有する反射半透過型液晶パネルを有する液晶表示装置において、
前記反射型液晶パネルの裏面側に、前記第１の領域に対しコントラスト補正及び／または色度補正を行なう光学シートを配設したことを特徴とするものである。
【００３８】
上記発明によれば、反射型液晶パネルの裏面側に光学シートを配設することにより、反射型液晶パネルの第１の領域に対応する部位における表示にコントラスト補正及び／または色度補正がされるため、簡単な構成で高品質の表示を行なうことが可能となる。
【００３９】
また、請求項４記載の発明は、
請求項３記載の液晶表示装置において、
前記反射型液晶パネルにノーマリブラック液晶を用い、
かつ、前記光学シートとして、黒反射率を低減する特性を有するものを用いたことを特徴とするものである。
【００４０】
上記発明によれば、反射型液晶パネルの第１の領域に対応する部位における表示において黒反射率の低減を図れるため、コントラスト比の向上を図ることができる。
【００４１】
また、請求項３記載の液晶表示装置において、前記光学シートとして、白反射率の高い特性を有するものを用いることができる。この構成とした場合には、反射型液晶パネルの第１の領域に対応する部位における表示において、白反射率の向上による明るさの強化を図ることができる。
【００４２】
また、請求項３記載の液晶表示装置において、前記光学シートとして、前記反射型液晶パネルの表示において不足する色を補正する着色シートを用いることができる。
この構成とした場合には、反射型液晶パネルの第１の領域に対応する部位における表示において、色純度及び色再現性を良好とすることができる。
【００４３】
また、請求項３記載の液晶表示装置において、前記光学シートとして、前記反射型液晶パネルの表示において発生する表示むらを補正する表示むら補正シートを用いることができる。この構成とした場合には、反射型液晶パネルの表示領域内において色度の均一化を図ることができ、表示品質を良好とすることができる。
【００４４】
【発明の実施の形態】
次に、本発明の実施の形態について図面と共に説明する。
【００４５】
図１０乃至図１２は、本発明の第１実施例である液晶表示装置を示している。図１０は液晶表示装置３０Ａの概略構成を示す斜視図であり、図１１は反射型液晶パネル３５Ａの１画素に対応する部分を拡大して示す断面図であり、また図１２は反射型液晶パネル３５Ａの１画素に対応する部分を拡大して示す平面図である。
【００４６】
尚、本実施例の説明に用いる図１０乃至図１２、及び第２実施例以降の説明で用いる図１３乃至図１９において、先の説明に用いた図１乃至図９に示した構成と対応する構成については同一符号を付して説明するものとする。
【００４７】
本実施例に係る液晶表示装置３０Ａは、大略すると反射型液晶パネル３５Ａと全面黒色シート３１とにより構成されている。反射型液晶パネル３５Ａは、画素トランジスタ１２（ＴＦＴ）を備えたＴＦＴ基板１１と、これと対向配設され共通電極（コモン電極）が形成された共通基板１５と、このＴＦＴ基板１１と共通基板１５との間に配設された液晶層１７とを有した構成とされている。
【００４８】
本実施例では、液晶層１７としてノーマリブラック液晶を用いている。このノーマリブラック液晶は、電解無印加時に黒となり、電解印加時に白となる液晶である。
【００４９】
ＴＦＴ基板１１には、データバスラインとなる信号線１３と、スキャンバスラインとなる走査線１４とがマトリクス状に交差しており、その交点すべてにＴＦＴ１２がスイッチング素子として接続されている。また、ＴＦＴ基板１１には信号線１３及び走査線１４を駆動するための駆動ＩＣ７が配設されている。
【００５０】
この反射型液晶パネル３５Ａは、外光（図１１に矢印Ａで示す）を利用して液晶表示を可能とするものであるため、図１１及び図１２に示すようにＴＦＴ基板１１には外光を反射するための反射電極層２５が１画素に対応する領域（マトリクス状に形成された信号線１３と走査線１４の囲まれた領域）に形成されている。
【００５１】
ところで、反射電極層２５は完全な遮光状態ではなく、またＴＦＴ基板１１のＴＦＴ１２と同層において形成されるため、ＴＦＴ１２の作成部などに反射電極層２５が形成されない部分が発生し僅かな光の透過作用が起こることは前述した通りである。よって、本実施例に係る反射型液晶パネル３５Ａも、図１１及び図１２に示すように反射電極層２５の外周部分に透明なＴＦＴ基板１１が露出した隙間部２６が形成されてしまう。
【００５２】
しかしながら、本実施例に係る液晶表示装置３０Ａは、反射型液晶パネル３５Ａの裏面側にコントラスト補正及び／または色度補正を行なう光学シート３１を設けた構成としている。本実施例では、光学シートとして全面が黒色に着色されたシート（以下、全面黒色シート３１という）を用いた構成としている。
【００５３】
本実施例のように、反射型液晶パネル３５Ａに用いる液晶層１７としてノーマリブラック液晶を用い、かつ反射型液晶パネル３５Ａの裏面側に全面黒色シート３１を配設することにより、黒反射率を削減し、コントラストの向上を促すことができる。これにより、隙間部２６を通過した外光（図１１に矢印Ｂで示す）は、隙間部２６により遮光することが可能となり、透けてしまうといった透過作用が無くなる。
【００５４】
従って、本実施例に係る液晶表示装置３０Ａによれば、黒の反射率をより低減することが可能となり、特にコントラスト比について表示品質の向上を図ることができる。また、本実施例の構成によれば、表示品質の向上を図るためにＴＦＴ基板１１（反射電極層２５）のパターン変更などの必要はなく、容易に、より良好な高品質の液晶表示装置３０Ａを実現することができる。
【００５５】
次に、本発明の第２実施例について説明する。
図１３は、本発明の第２実施例である液晶表示装置３０Ｂを示している。前記した第１実施例に係る液晶表示装置３０Ａでは、液晶層１７としてノーマリブラック液晶を用いると共に反射型液晶パネル３５Ａの裏面側に全面黒色シート３１を配設した構成とした。
【００５６】
これに対して本実施例に係る液晶表示装置３０Ｂは、全面黒色シート３１に代えて、全面を白色に着色した全面白色シート３２を光学シートとして用いたことを特徴とするものである。尚、本実施例では、液晶層１７はノーマリブラック液晶に限定されるものではなく、ノーマリホワイト液晶を用いることも可能である。
【００５７】
本実施例のように、反射型液晶パネル３５Ｂの裏面側に全面白色シート３２を配設することにより、白反射率（明るさ）を向上させることができる。よって、隙間部２６を透過する僅かな透過光の作用に全面白色シート３２の白反射率向上効果が重複し、反射率の向上を促することができる。従って本実施例によれば、完全な白色反射率を実現することが可能となり、より高反射率の液晶表示装置３０Ｂを実現することが可能となる。
【００５８】
また、上記した第１及び第２実施例では、反射型液晶パネル３５Ａ，３５Ｂの裏面側に配設する光学シートとして全面黒色シート３１，全面白色シート３２を用いた例を示したが、これに代えて赤色、緑色、青色などの他の色シートを用いることも可能である。このように、各種の色シートを光学シートとして反射型液晶パネル３５Ａ，３５Ｂの裏面側に配設することにより、色純度の補正、及び色の再現性の向上を図ることができる。
【００５９】
具体的には予め、反射型液晶パネルの色度特性を測定し、特に不足している色を着色した光学シートを作成し、これを反射型液晶パネル３５Ａ，３５Ｂの裏面側に配設する。そして、前記した隙間部２６を介した僅かな透過作用を利用し、その色の透過を行なう構成とする。これにより、色度、色純度の補正が実現し、表示品質の良好な液晶表示装置を実現することができる。
【００６０】
次に、本発明の第３実施例について説明する。
図１４は、本発明の第３実施例である液晶表示装置３０Ｃを示している。本実施例で用いている光学シートも、赤色、緑色、青色などの色シート、あるいは異なる色のシートなどを用いて、パネル表示領域における特性の均一化を図り、表示ムラなどの無い良好な表示を実現するものである。
【００６１】
しかしながら、本実施例で用いている光学シートは、表示領域全領域ではなく、例えば中央部と周辺部にてグラデュエーション状態にするなどの部分的に異なる色構成を形成した光学シート（以下、全面グラデュエーションシート３３という）としていることを特徴としている。
【００６２】
本実施例のように、光学シートして全面グラデュエーションシート３３を用いることにより、反射型液晶パネル３５Ｃの表示領域内におけるムラを無くすことができ、また反射率及び色度においても表示領域内で均一化を図ることができる。よって、本実施例の液晶表示装置３０Ｃによれば、均一でむらのない高品質な表示を行なうことができる。
【００６３】
次に、本発明の第４実施例について説明する。
図１５乃至図１７は、本発明の第４実施例である液晶表示装置３０Ｄを示している。本実施例及び、以後説明する各実施例では、液晶パネルとして反射半透過型液晶パネル４０Ａ〜４０Ｃを用いている。この各反射半透過型液晶パネル４０Ａ〜４０Ｃは、図１６及び図１７に示すように、１画素内に外光を反射する反射電極層２５と、光を透過しうる透過部２８とを形成した構成とされている。
【００６４】
また、この反射半透過型液晶パネル４０Ａ〜４０Ｃを用いる液晶表示装置３０Ｄ〜３０Ｆは、反射半透過型液晶パネル４０Ａ〜４０Ｃの背面にバックライトユニット２７を具備しており、暗いところではバックライトユニット２７からの光が透過部２８を透過することにより表示を行い、外光が強い場合には反射電極層２５で外光を反射することにより表示を行なう構成とされている。
【００６５】
ところで、この反射半透過型液晶パネル４０Ａ〜４０Ｃにおいても、反射電極層２５は完全な遮光状態ではなく、また反射電極層２５が形成されず透明なＴＦＴ基板１１が露出した隙間部２６が形成されてしまう。そこで本実施例では反射半透過型液晶パネル４０Ａとして、前記した第１実施例に係る反射型液晶パネル３５Ａと同様に液晶層１７としてノーマリブラック液晶を用いると共に、反射半透過型液晶パネル４０Ａの裏面側にコントラスト補正及び／または色度補正を行なう光学シート４１を設けた構成としている。
【００６６】
この際、本実施例に係る液晶表示装置３０Ｄでは、光学シート４１として全面が黒色に着色されたものではなく、反射電極層２５の形成位置（請求項に記載の第１の領域に相当する）に対向する位置に着色部４１Ａを形成し、透過部２８と対向する領域を透明部４１Ｂとしたシート（以下、一部黒色シート４１という）を用いた構成としている。
【００６７】
本実施例のように、反射半透過型液晶パネル４０Ａに用いる液晶層１７としてノーマリブラック液晶を用い、かつ反射半透過型液晶パネル４０Ａの裏面側に一部黒色シート４１を配設することにより、黒反射率を削減し、コントラストの向上を促すことができる。これにより、隙間部２６を通過した外光（図１６に矢印Ｂで示す）は、隙間部２６により遮光することが可能となり、透けてしまうといった透過作用が無くなる。
【００６８】
従って、本実施例に係る液晶表示装置３０Ｄによれば、黒の反射率をより低減することが可能となり、特にコントラスト比について表示品質の向上を図ることができる。また、本実施例の構成によれば、表示品質の向上を図るためにＴＦＴ基板１１（反射電極層２５）のパターン変更などの必要はなく、容易により良好な高品質の液晶表示装置３０Ｄを実現することができる。
【００６９】
更に、一部黒色シート４１は、透過部２８と対向する位置は透明部４１Ｂとされているため、バックライトユニット２７からの光（図１６に矢印Ｃで示す）が一部黒色シート４１に遮られるようなことはない。このため、バックライトユニット２７の使用時においても、高品質な画像を実現することができる。
【００７０】
次に、本発明の第５実施例について説明する。
図１８は、本発明の第５実施例である液晶表示装置３０Ｅを示している。前記した第４実施例に係る液晶表示装置３０Ｄでは、液晶層１７としてノーマリブラック液晶を用いると共に反射半透過型液晶パネル４０Ａの裏面側に一部黒色シート４１を配設した構成とした。
【００７１】
これに対して本実施例に係る液晶表示装置３０Ｅは、一部黒色シート４１に代えて、着色部４１Ａを白色に着色した一部白色シート４２（透明部４１Ｂはそのまま）を光学シートとして用いたことを特徴とするものである。尚、本実施例では、液晶層１７はノーマリブラック液晶に限定されるものではなく、ノーマリホワイト液晶を用いることも可能である。
【００７２】
本実施例のように、反射半透過型液晶パネル４０Ｂの裏面側に一部白色シート４２を配設することにより、白反射率（明るさ）を向上させることができる。よって、隙間部２６を透過する僅かな透過光の作用に全面白色シート３２の白反射率向上効果が重複し、反射率の向上を促することができる。従って本実施例によれば、完全な白色反射率を実現することが可能となり、より高反射率の液晶表示装置３０Ｅを実現することが可能となる。
【００７３】
また、上記した第４及び第５実施例では、反射半透過型液晶パネル４０Ａ，４０Ｂの裏面側に配設する光学シートとして一部黒色シート４１，一部白色シート４２を用いた例を示したが、これに代えて赤色、緑色、青色などの他の色を着色部４１Ａに着色した光学シートを用いることも可能である。このような光学シートを反射半透過型液晶パネル４０Ａ，４０Ｂの裏面側に配設することにより、色純度の補正、及び色の再現性の向上を図ることができる。
【００７４】
具体的には予め、反射半透過型液晶パネルの色度特性を測定し、特に不足している色を着色部４１Ａに着色した光学シートを作成し、これを反射半透過型液晶パネル４０Ａ，４０Ｂの裏面側に配設する。そして、前記した隙間部２６を介した僅かな透過作用を利用し、その色の透過を行なう構成とする。これにより、色度、色純度の補正が実現し、表示品質の良好な液晶表示装置を実現することができる。
【００７５】
次に、本発明の第６実施例について説明する。
図１９は、本発明の第６実施例である液晶表示装置３０Ｆを示している。本実施例で用いている光学シートも、着色部４１に赤色、緑色、青色などを着色し、パネル表示領域における特性の均一化を図り、表示ムラなどの無い良好な表示を実現するものである。
【００７６】
しかしながら、本実施例で用いている光学シートは、個々の着色部４１Ａの着色状態は均一ではなく、例えば中央部と周辺部にてグラデュエーション状態にするなどの部分的に異なる色構成を形成した光学シート（以下、一部グラデュエーションシート４３という）としていることを特徴としている。
【００７７】
本実施例のように、光学シートして一部グラデュエーションシート４３を用いることにより、反射半透過型液晶パネル４０Ｃの表示領域内におけるムラを無くすことができ、また反射率及び色度においても表示領域内で均一化を図ることができる。よって、本実施例の液晶表示装置３０Ｆによれば、均一でむらのない高品質な表示を行なうことができる。
【００７８】
尚、上記した実施例において液晶パネルは、ノーマリブラック液晶に限定されるものではなく、ノーマリホワイト液晶についても使用可能である。
【００７９】
以上の説明に関し、更に以下の項を開示する。
【００８０】
（付記１）  表面側から入射する外光を反射利用することにより表示を行なう反射型液晶パネルを有する液晶表示装置において、
前記反射型液晶パネルの裏面側に、コントラスト補正及び／または色度補正を行なう光学シートを配設したことを特徴とする液晶表示装置。
【００８１】
（付記２）  付記１記載の液晶表示装置において、
前記反射型液晶パネルにノーマリブラック液晶を用い、
かつ、前記光学シートとして、黒反射率を低減する特性を有するものを用いたことを特徴とする液晶表示装置。
【００８２】
（付記３）  付記１記載の液晶表示装置において、
前記光学シートとして、白反射率の高い特性を有するものを用いたことを特徴とする液晶表示装置。
【００８３】
（付記４）  付記１記載の液晶表示装置において、
前記光学シートとして、前記反射型液晶パネルの表示において不足する色を補正する着色シートを用いたことを特徴とする液晶表示装置。
【００８４】
（付記５）  付記１記載の液晶表示装置において、
前記光学シートとして、前記反射型液晶パネルの表示において発生する表示むらを補正する表示むら補正シートを用いたことを特徴とする液晶表示装置。
【００８５】
（付記６）  １画素に対応する領域内に、表面側から入射する外光を反射利用することにより表示を行なう第１の領域と、背面側から透過する光を利用することにより表示を行なう第２の領域とを有する反射半透過型液晶パネルを有する液晶表示装置において、
前記反射型液晶パネルの裏面側に、前記第１の領域に対しコントラスト補正及び／または色度補正を行なう光学シートを配設したことを特徴とする液晶表示装置。
【００８６】
（付記７）  付記６記載の液晶表示装置において、
前記反射型液晶パネルにノーマリブラック液晶を用い、
かつ、前記光学シートとして、黒反射率を低減する特性を有するものを用いたことを特徴とする液晶表示装置。
【００８７】
（付記８）  付記６記載の液晶表示装置において、
前記光学シートとして、白反射率の高い特性を有するものを用いたことを特徴とする液晶表示装置。
【００８８】
（付記９）  付記６記載の液晶表示装置において、
前記光学シートとして、前記反射型液晶パネルの表示において不足する色を補正する着色シートを用いたことを特徴とする液晶表示装置。
【００８９】
（付記１０）  付記６記載の液晶表示装置において、
前記光学シートとして、前記反射型液晶パネルの表示において発生する表示むらを補正する表示むら補正シートを用いたことを特徴とする液晶表示装置。
【００９０】
【発明の効果】
上述の如く本発明によれば、次に述べる種々の効果を実現することができる。
【００９１】
請求項１記載の発明によれば、反射型液晶パネルの表示にコントラスト補正及び／または色度補正がされるため、簡単な構成で高品質の表示を行なうことが可能となる。
【００９２】
また、請求項２記載の発明によれば、反射型液晶パネルの表示において黒反射率の低減を図れるため、コントラスト比の向上を図ることができる。
【００９３】
また、請求項３記載の発明によれば、反射型液晶パネルの裏面側に光学シートを配設することにより、反射型液晶パネルの第１の領域に対応する部位における表示にコントラスト補正及び／または色度補正がされるため、簡単な構成で高品質の表示を行なうことが可能となる。
【００９４】
また、請求項４記載の発明によれば、反射型液晶パネルの第１の領域に対応する部位における表示において黒反射率の低減を図れるため、コントラスト比の向上を図ることができる。
【図面の簡単な説明】
【図１】従来の一例である液晶表示装置の分解斜視図である。
【図２】従来の一例である液晶表示装置に設けられる透過型液晶パネルの概略構成を示す斜視図である。
【図３】従来の一例である液晶表示装置に設けられる透過型液晶パネルの概略構成を示す断面図である。
【図４】従来の一例である液晶表示装置に設けられる反射型液晶パネルの概略構成を示す斜視図である。
【図５】従来の一例である液晶表示装置に設けられる反射型液晶パネルの１画素に対応する部分を拡大して示す断面図である。
【図６】従来の一例である液晶表示装置に設けられる反射型液晶パネルの１画素に対応する部分を拡大して示す平面図である。
【図７】従来の一例である液晶表示装置に設けられる反射半透過型液晶パネルの概略構成を示す斜視図である。
【図８】従来の一例である液晶表示装置に設けられる反射半透過型液晶パネルの１画素に対応する部分を拡大して示す断面図である。
【図９】従来の一例である液晶表示装置に設けられる反射半透過型液晶パネルの１画素に対応する部分を拡大して示す平面図である。
【図１０】本発明の第１実施例である液晶表示装置に設けられる反射型液晶パネルの概略構成を示す斜視図である。
【図１１】本発明の第１実施例である液晶表示装置に設けられる反射型液晶パネルの１画素に対応する部分を拡大して示す断面図である。
【図１２】本発明の第１実施例である液晶表示装置に設けられる反射型液晶パネルの１画素に対応する部分を拡大して示す平面図である。
【図１３】本発明の第２実施例である液晶表示装置に設けられる反射型液晶パネルの概略構成を示す斜視図である。
【図１４】本発明の第３実施例である液晶表示装置に設けられる反射型液晶パネルの概略構成を示す斜視図である。
【図１５】本発明の第４実施例である液晶表示装置に設けられる反射型液晶パネルの概略構成を示す斜視図である。
【図１６】本発明の第４実施例である液晶表示装置に設けられる反射型液晶パネルの１画素に対応する部分を拡大して示す断面図である。
【図１７】本発明の第４実施例である液晶表示装置に設けられる反射型液晶パネルの１画素に対応する部分を拡大して示す平面図である。
【図１８】本発明の第５実施例である液晶表示装置に設けられる反射型液晶パネルの概略構成を示す斜視図である。
【図１９】本発明の第６実施例である液晶表示装置に設けられる反射型液晶パネルの概略構成を示す斜視図である。
【符号の説明】
１１  ＴＦＴ基板
１２  ＴＦＴ
１５  共通基板
１７  液晶層
１８  引き出し線
２５  反射電極層
２６  隙間部
２７  バックライトユニット
２８  透過部
３０Ａ〜３０Ｆ  液晶表示装置
３１  全面黒色シート
３２  全面白色シート
３３  全面グラデュエーションシート
３５Ａ〜３５Ｃ  反射型液晶パネル
４０Ａ〜４０Ｃ  反射半透過型液晶パネル
４１  一部黒色シート
４１Ａ  着色部
４１Ｂ  透明部
４２  一部白色シート
４３  一部グラデュエーションシート
【図１】
2004302294.tif 000003
【図２】
2004302294.tif 000004
【図３】
2004302294.tif 000005
【図４】
2004302294.tif 000006
【図５】
2004302294.tif 000007
【図６】
2004302294.tif 000008
【図７】
2004302294.tif 000009
【図８】
2004302294.tif 000010
【図９】
2004302294.tif 000011
【図１０】
2004302294.tif 000012
【図１１】
2004302294.tif 000013
【図１２】
2004302294.tif 000014
【図１３】
2004302294.tif 000015
【図１４】
2004302294.tif 000016
【図１５】
2004302294.tif 000017
【図１６】
2004302294.tif 000018
【図１７】
2004302294.tif 000019
【図１８】
2004302294.tif 000020
【図１９】
2004302294.tif 000021